(57)【要約】  空気調和機を梱包する梱包部材は、板状体と、板状体の縁から板状体に交差する方向に延在する外側壁と、外側壁と間隙を開けて延在する内側壁とを有し、空気調和機の一部を覆う蓋体と、外側壁と内側壁との間隙に配置され、外側壁と内側壁とに挟持された補強部材とを備える。
2020178934.tif 000002
【特許請求の範囲】
【請求項１】
空気調和機を梱包する梱包部材であって、
板状体と、前記板状体の縁から前記板状体に交差する方向に延在する外側壁と、前記外側壁と間隙を開けて延在する内側壁とを有し、前記空気調和機の一部を覆う蓋体と、
前記外側壁と前記内側壁との前記間隙に配置され、前記外側壁と前記内側壁とに挟持された補強部材と
を備えた
梱包部材。
【請求項２】
前記外側壁の外面の全体は、前記板状体を正面視した状態において、前記板状体の縁と同一位置又は前記板状体の周縁の内側にある
請求項１に記載の梱包部材。
【請求項３】
前記蓋体には、前記板状体の長手方向に沿って、前記外側壁と前記内側壁とからなる組が２組、互いに対向して設けられており、
前記補強部材は、前記２組それぞれの前記外側壁と前記内側壁との前記間隙に配置されている
請求項１又は２に記載の梱包部材。
【請求項４】
前記補強部材は、前記板状体と前記外側壁の境界の内面に接している
請求項１〜３のいずれか一項に記載の梱包部材。
【請求項５】
前記蓋体は、前記板状体と前記外側壁の境界に切欠を有しており、
前記補強部材は、前記切欠から露出している
請求項１〜４のいずれか一項に記載の梱包部材。
【請求項６】
前記補強部材は、前記蓋体よりも吸湿による強度劣化が少ない材質である
請求項１〜５のいずれか一項に記載の梱包部材。
【請求項７】
前記補強部材は木材である
請求項１〜６のいずれか一項に記載の梱包部材。
【請求項８】
前記板状体は前記空気調和機の上面を覆うように構成されており、
前記外側壁及び前記内側壁は、前記空気調和機の側面の一部を覆うように構成されている
請求項１〜７のいずれか一項に記載の梱包部材。
【請求項９】
前記板状体、前記外側壁、及び前記内側壁は、単一の外包材から形成され、
前記外側壁は、前記板状体の縁から前記板状体に交差する方向に前記外包材が折り曲げられて形成され、
前記内側壁は、前記板状体の縁と逆側の前記外側壁の端から前記板状体の方向に前記外包材を折り返されて形成されている
請求項１〜８のいずれか一項に記載の梱包部材。
【発明の詳細な説明】
【技術分野】
【０００１】
本発明は、空気調和機の梱包に用いられる梱包部材に関する。
【背景技術】
【０００２】
特許文献１では、空気調和機の天面側を梱包する天面トレイと、空気調和機の底面側を梱包する底面トレイとを有し、天面トレイ及び底面トレイが結束バンドによって締結された空気調和機の梱包部材が開示されている。特許文献１の梱包部材では、天面トレイ及び底面トレイの辺にテーパ面が設けられており、結束バンドはテーパ面の位置に接触して締結されている。
【先行技術文献】
【特許文献】
【０００３】
【特許文献１】特開２００８−０８１１９９号公報
【発明の概要】
【発明が解決しようとする課題】
【０００４】
特許文献１のような梱包部材で梱包される空気調和機には、通常、空気調和機を搬送するための取手部が空気調和機の本体に設けられている。しかしながら、空気調和機の流通段階においては、取手部の代わりに結束バンドが把持されて、空気調和機の搬送が行われる場合がある。結束バンドが把持されて、空気調和機の搬送が行われた場合、上方から結束バンドが引っ張られるため、結束バンドが天面トレイの外側壁の外側から内側に侵食することになる。したがって、特許文献１の梱包部材では、結束バンドが把持されて空気調和機の搬送が行われた場合に、結束バンドの侵食により梱包部材が損傷し、梱包部材の外観が損なわれる可能性があった。【０００５】
本発明は、上述の課題を解決するものであり、結束バンドが把持されて空気調和機の搬送が行われた場合であっても、結束バンドの侵食による梱包部材の外側壁の損傷を低減し、梱包部材の外観を維持することが可能な梱包部材を提供することを目的とする。
【課題を解決するための手段】
【０００６】
本発明の梱包部材は、空気調和機を梱包する梱包部材であって、板状体と、前記板状体の縁から前記板状体に交差する方向に延在する外側壁と、前記外側壁と間隙を開けて延在する内側壁とを有し、前記空気調和機の一部を覆う蓋体と、前記外側壁と前記内側壁との前記間隙に配置され、前記外側壁と前記内側壁とに挟持された補強部材とを備える。
【発明の効果】
【０００７】
本発明の梱包部材は、上述の補強部材を有することにより、蓋体の外側壁の強度が向上するため、外側壁の外側から内側への結束バンドの侵食に対する耐性を向上させることができる。したがって、本発明では、結束バンドの侵食による梱包部材の外側壁の損傷を低減し、梱包部材の外観を維持することが可能な梱包部材を提供できる。
【図面の簡単な説明】
【０００８】
【図１】本発明の実施の形態に係る梱包部材に梱包される空気調和機の一例として、空気調和機の室外ユニットの外観構造の一例を概略的に示した斜視図である。
【図２】図１の室外ユニットの内部構造の一例を概略的に示した上面図である。
【図３】本発明の実施の形態に係る梱包部材により梱包された空気調和機を概略的に示した斜視図である。
【図４】図３の梱包部材の概略的な分解斜視図である。
【図５】本発明の実施の形態に係る梱包部材の蓋体の構造及び組立態様を概略的に示した斜視図である。
【図６】図５の蓋体の側壁の内部構造を示す概略図である。
【図７】図３の梱包部材により梱包された空気調和機の一部の概略的な拡大図である。
【図８】図３の梱包部材により梱包された空気調和機を、搬送作業者が、梱包部材の角を把持して、矢印の方向に梱包された空気調和機を移動させた状況を示す概略図である。
【図９】図８の状況における梱包部材を上面から見た概略図である。
【発明を実施するための形態】
【０００９】
本発明の実施の形態に係る梱包部材２００に梱包される空気調和機について、図１及び図２を用いて説明する。図１は、本実施の形態に係る梱包部材２００に梱包される空気調和機の一例として、空気調和機の室外ユニット１００の外観構造の一例を概略的に示した斜視図である。図２は、図１の室外ユニット１００の内部構造の一例を概略的に示した上面図である。なお、図１及び図２を含む以下の図面においては、各構成部材の寸法の関係及び形状は、実際のものとは異なる場合がある。また、図１及び図２を含む以下の図面では、同一の部材若しくは部分又は同一の機能を有する部材若しくは部分には、同一の符号を付すか、又は符号を付すことを省略している。
【００１０】
図１に示すように、室外ユニット１００は、例えば、天面パネル１、底面パネル２、前面パネル３、サービスパネル４、右側面パネル５、左側面パネル６、第１カバーパネル７、及び第２カバーパネル８といった複数の外郭パネルを有している。室外ユニット１００では、上述の複数の外郭パネルにより、室外ユニット１００の外郭の一部が形成されている。また、室外ユニット１００は、高さ方向に延在する４つの辺にそれぞれ取手部１５０を有している。取手部１５０は、室外ユニット１００の搬送時に、作業者が室外ユニット１００を把持するために用いられる部材である。室外ユニット１００は、図示しないが、室内ユニットと配管を介して接続される。室外ユニット１００及び室内ユニットには、当該配管を介して冷媒を循環させる冷媒回路が形成される。
【００１１】
天面パネル１は、室外ユニット１００の天面を形成する板金パネルである。天面パネル１は、ネジ止め等により、前面パネル３、右側面パネル５、及び左側面パネル６に取り付けられる。
【００１２】
底面パネル２は、室外ユニット１００の底面を形成する板金パネルである。図１に示すように、底面パネル２は、複数の脚部９を有しており、ネジ止め等により底面パネル２に取り付けられている。複数の脚部９は、それぞれ、室外ユニット１００を設置場所に固定するための取付穴９ａを有している。室外ユニット１００は、例えば、ネジ止め等により、取付穴９ａを介してコンクリートブロック等に固定される。
【００１３】
前面パネル３は、室外ユニット１００の設置時における室外ユニット１００の左側正面を形成する板金パネルである。前面パネル３は、ネジ止め等により、底面パネル２に取り付けられている。前面パネル３には、室外ユニット１００の内部空間と外部空間とを連通する排気口３ａが設けられている。また、前面パネル３は、前面パネル３の外側面に配置され、排気口３ａを覆うグリル３ｂと、排気口３ａの周縁部から送風機室１２０の側に突出した周縁面を有するベルマウス３ｃとを有している。
【００１４】
サービスパネル４は、室外ユニット１００の設置時における室外ユニット１００の右上側の正面と前方上側の右面とを形成する、上面視においてＬ字形状の板金パネルである。サービスパネル４には、取手部１５０が形成されている。サービスパネル４は、室外ユニット１００の内部のメンテナンスが可能なように、ネジ止め等により、天面パネル１、右側面パネル５、及び第１カバーパネル７に着脱可能に取り付けられている。室外ユニット１００において、室外ユニット１００の据え付け、修理、又は撤去等の現地作業は、少なくともサービスパネル４を取り外した状態にて行われる。
【００１５】
右側面パネル５は、室外ユニット１００の設置時における室外ユニット１００の右上側の背面と後方上側の右面とを形成する、上面視においてＬ字形状の板金パネルである。右側面パネル５には、取手部１５０が形成されている。右側面パネル５は、ネジ止め等により、第２カバーパネル８に取り付けられている。
【００１６】
左側面パネル６は、室外ユニット１００の設置時における室外ユニット１００の左面を形成する、上面視においてＵ字形状の板金パネルである。左側面パネル６の前縁部には、取手部１５０が形成されている。また、図示しないが、左側面パネル６の後縁部にも、取手部１５０が形成されている。また、図示しないが、左側面パネル６には、室外ユニット１００の内部空間と外部空間とを連通する複数の通気口が形成されている。左側面パネル６は、ネジ止め等により、底面パネル２及び前面パネル３に取り付けられている。
【００１７】
第１カバーパネル７は、室外ユニット１００の設置時における室外ユニット１００の右下側の正面と前方下側の右面とを形成する、上面視においてＬ字形状の板金パネルである。第１カバーパネル７は、１以上の開口部７ａを有しており、図示しないが、例えば、室内ユニットに接続された電力線又は延長配管は、当該開口部を介して、室外ユニット１００の内部に引き込まれる。第１カバーパネル７は、ネジ止め等により、底面パネル２及び第２カバーパネル８に取り付けられている。
【００１８】
第２カバーパネル８は、室外ユニット１００の設置時における室外ユニット１００の右下側の背面と後方下側の右面とを形成する、上面視においてＬ字形状の板金パネルである。第２カバーパネル８は、ネジ止め等により、底面パネル２に取り付けられている。
【００１９】
図２に示すように、底面パネル２には、室外ユニット１００の内部に収容された構成要素、例えば、圧縮機２１、圧力容器２３、熱交換器２５、及び送風機２７が設置される。室外ユニット１００においては、室外ユニット１００の全重量のうち、圧縮機２１、圧力容器２３、熱交換器２５、及び送風機２７の総重量が占める割合は、その他の構成要素の総重量と比較して大きくなっている。
【００２０】
また、具体的な構造は図示しないが、室外ユニット１００の内部空間は、一点鎖線の位置に、ネジ止め等により固定された仕切板を有している。図２に示すように、室外ユニット１００の内部空間は、仕切板の位置、すなわち一点鎖線の位置で、仕切板によって、機械室１１０と、送風機室１２０とに区画されている。仕切板には、前面パネル３及び第１カバーパネル７が、ネジ止め等によって取り付けられる。また、仕切板には、サービスパネル４が、ネジ止め又は嵌め込み等によって取り付けられる。
【００２１】
機械室１１０は、天面パネル１、底面パネル２、サービスパネル４、右側面パネル５、第１カバーパネル７、第２カバーパネル８、及び上述の仕切板によって取り囲まれた空間である。図２に示すように、機械室１１０には、圧縮機２１及び圧力容器２３が収容されている。圧縮機２１及び圧力容器２３は、ネジ止め等により、底面パネル２に固定されている。また、機械室１１０は、図示しないが、圧縮機２１、圧力容器２３、及び熱交換器２５とともに冷媒回路を形成する複数の冷媒配管を収容する。圧縮機２１は、吸入した低圧冷媒を圧縮し、高圧冷媒として吐出する流体機械である。圧縮機２１としては、例えば、ロータリ圧縮機又はスクロール圧縮機が用いられる。また、圧力容器２３としては、室外ユニット１００の用途及び機能に応じて、気液分離機能を有するアキュムレータ、又は受液機能を有するレシーバ等が用いられる。
【００２２】
また、図示しないが、機械室１１０には、電気品箱が収容されている。電気品箱は、例えば、ネジ止め等により、仕切板の上部に取り付けられている。電気品箱は、例えば、圧縮機２１及び送風機２７に電力を供給するインバータ回路等を含む複数の電子回路基板を収容している。
【００２３】
送風機室１２０は、天面パネル１、底面パネル２、前面パネル３、左側面パネル６、及び上述の仕切板によって取り囲まれた空間である。送風機室１２０は、熱交換器２５と、送風機２７とを収容する。熱交換器２５は、底面パネル２に載置されている。また、熱交換器２５は、例えばネジ止め等により、右側面パネル５及び第２カバーパネル８の後面の左端部に固定され、室外ユニット１００の外郭の一部を構成している。
【００２４】
熱交換器２５は、保有する熱エネルギーの異なる２つの流体間で熱エネルギーの移動及び交換を行う熱伝達機器である。図２に示すように、熱交換器２５は、熱交換器２５を通過する空気流と、熱交換器２５の内部を流通する冷媒との間で熱交換を行う空冷式熱交換器である。例えば、熱交換器２５は、並列に配置された複数の板状フィンと、複数の板状フィンを貫通する伝熱管とを備えるフィンアンドチューブ型熱交換器にできる。熱交換器２５をフィンアンドチューブ型熱交換器である場合、伝熱管が底面パネル２と平行になるように底面パネル２に載置される。なお、図２においては、天面パネル１の側から見てＬ字形状となる熱交換器２５が例示されているが、熱交換器２５の形状はこれに限られず、天面パネル１の側から見て、平板形状であってもよいし、Ｕ字形状であってもよい。
【００２５】
送風機２７は、熱交換器２５及び前面パネル３の排気口３ａと対面する位置に配置されている。送風機２７は、送風機２７を駆動するモータ２９を有している。モータ２９の回転軸は、排気口３ａの方向に向くように配置されており、モータ２９の回転軸の先端部には、送風機２７の回転軸が取り付けられている。送風機２７としては、例えば、プロペラファン等の軸流ファンが用いられる。モータ２９としては、例えば、電圧によって送風機２７の回転数を制御可能な、三相誘導モータ又はＤＣブラシレスモータとして構成される。送風機２７は、図示しないが、底面パネル２及び熱交換器２５に固定された送風機取付台に取り付けられる。
【００２６】
次に、空気調和機を梱包する梱包部材２００について説明する。
【００２７】
図３は、本実施の形態に係る梱包部材２００により梱包された空気調和機を概略的に示した斜視図である。図４は、図３の梱包部材２００の概略的な分解斜視図である。なお、図４では、説明を簡易にするため、結束バンド４００の図示を省略している。
【００２８】
図３に示すように、室外ユニット１００の天面パネル１の側には、室外ユニット１００の上面側を覆うように、梱包部材２００が配置される。梱包部材２００の構造については、後述する。また、室外ユニット１００の底面パネル２の側には、底面パネル２が載置され、脚部９が収容される底面保護部材３００が配置される。底面保護部材３００は、例えば段ボール等の梱包用素材で形成される。梱包部材２００及び底面保護部材３００は、上下方向に巻回された結束バンド４００によって、室外ユニット１００に固定される。結束バンド４００としては、例えば、ポリプロピレン製の、いわゆるＰＰバンドが用いられる。
【００２９】
梱包部材２００は、空気調和機の保管及び搬送の際に、空気調和機を保護する機能が求められている。図４に示すように、梱包部材２００には、例えば、第１緩衝部材５００及び板材６００が収容されている。
【００３０】
第１緩衝部材５００は、室外ユニット１００の天面パネル１を直接覆い、上面からの荷重による衝撃等から室外ユニット１００の上部を保護している。第１緩衝部材５００の材料としては、例えば、発泡スチロール等の発泡プラスチックが用いられる。
【００３１】
板材６００は、第１緩衝部材５００の上面に配置され、第１緩衝部材５００と梱包部材２００との間に挟持されている。空気調和機の流通段階では、流通の便宜上、梱包部材２００の上に、別の積荷が積まれる場合がある。また、空気調和機の梱包製品を空気調和機の製造工場から出荷された後に倉庫へ保管する際は、梱包製品の上に別の梱包製品を段積みして保管するのが一般的である。このような場合であっても、板材６００を第１緩衝部材５００と梱包部材２００との間に挟持すれば、梱包部材２００の上に積まれた別の積荷の重量を、広い面積を有する板材６００の面で支持することができるため、第１緩衝部材５００の破損を防ぐことができる。したがって、板材６００を第１緩衝部材５００と梱包部材２００との間に挟持することにより、第１緩衝部材５００の破損による室外ユニット１００の保護機能の低下を回避することができる。板材６００としては、例えば、ラワン又はヒノキ等の木材が用いられる。
【００３２】
また、図４に示すように、底面保護部材３００は、第２緩衝部材３２０と、第２緩衝部材３２０を収容する外枠体３４０とを有している。第２緩衝部材３２０は、段ボール等の梱包用素材に曲げ加工等を施すことにより形成され、底面パネル２及び脚部９が載置される載置面３２０ａを有している。外枠体３４０は、第２緩衝部材３２０を収容するとともに、室外ユニット１００の下面側を覆うように配置されている。外枠体３４０は、第２緩衝部材３２０と同一の梱包用素材で一体形成したものでもよいし、別個の部材として構成したものであってもよい。
【００３３】
次に、梱包部材２００の構造について、図５及び図６を用いて説明する。
【００３４】
図５は、本実施の形態に係る梱包部材２００の蓋体２１０の構造及び組立態様を概略的に示した斜視図である。図６は、図５の蓋体２１０の側壁２１４の内部構造を示す概略図である。
【００３５】
図５及び図６に示すように、梱包部材２００は、空気調和機、例えば室外ユニット１００の一部を覆う蓋体２１０を備えている。蓋体２１０は、例えば、段ボール等の梱包用素材で形成される。
【００３６】
蓋体２１０は、板状体２１２と、板状体２１２の縁２１２ａから板状体２１２に交差する方向に延在する外側壁２１４ａとを有している。また、蓋体２１０は、外側壁２１４ａと間隙２１５を開けて延在する内側壁２１４ｂを有している。なお、外側壁２１４ａと内側壁２１４ｂと有する図５（ｄ）の構成を、側壁２１４と称する。例えば、板状体２１２は、空気調和機の上面、すなわち室外ユニット１００の天面パネル１を覆うように構成できる。また、外側壁２１４ａ及び内側壁２１４ｂは、空気調和機、すなわち、室外ユニット１００の側面の一部を覆うように構成できる。
【００３７】
板状体２１２、外側壁２１４ａ、及び内側壁２１４ｂは、図５（ａ）に示すように単一の外包材２３０から形成できる。外包材２３０は、例えば、木型又は金型等によって段ボール等の梱包用素材を打ち抜く、打ち抜き加工によって形成できる。単一の外包材２３０から蓋体２１０を形成することにより、蓋体２１０の製造コストを低減することができる。
【００３８】
外側壁２１４ａは、例えば、図５（ａ）〜図５（ｃ）に示すように、板状体２１２の縁２１２ａから板状体２１２に交差する方向に外包材２３０が折り曲げられて形成される。内側壁２１４ｂは、例えば、図５（ｄ）の白ブロック矢印に示すように、板状体２１２の縁２１２ａと逆側の外側壁２１４ａの端２１４ｃから板状体２１２の方向に外包材２３０を折り返されて形成される。また、外側壁２１４ａの外面の全体は、板状体２１２の外面を正面視した状態において、板状体２１２の縁２１２ａと同一位置又は板状体２１２の縁２１２ａの内側に形成される。
【００３９】
例えば、図５（ｃ）に示すように、蓋体２１０は、蓋体２１０の外面側から見て長手方向に延在する第１外側壁２１４ａ１と、短手方向に延在する第２外側壁２１４ａ２を有する外側壁２１４ａを備えるように形成できる。また、図５（ａ）及び図５（ｂ）に示すように、蓋体２１０は、フラップ２１６を有するように形成できる。フラップ２１６は例えば、板状体２１２の縁２１２ａと平行な方向の第２外側壁２１４ａ２の側端２１４ａ３の少なくとも一方に設けられる。内側壁２１４ｂは、板状体２１２の縁２１２ａと逆側の第１外側壁２１４ａ１の端２１４ｃから板状体２１２の方向に外包材２３０を折り返すことにより形成できる。第１外側壁２１４ａ１、内側壁２１４ｂ、及びフラップ２１６は、例えば、接着剤の塗布又はステープラによる係留により互いに接合できる。
【００４０】
また、蓋体２１０は、板状体２１２と外側壁２１４ａとの境界２１８に複数の切欠２１８ａを有している。切欠２１８ａは、例えば、外包材２３０に穴開け加工を施すことにより形成できる。蓋体２１０が切欠２１８ａの位置で結束バンド４００によって室外ユニット１００に固定されることにより、蓋体２１０の境界２１８が、結束バンド４００の巻回により侵食されることを回避することができる。
【００４１】
なお、図５では、内側壁２１４ｂは、第１外側壁２１４ａ１と対面する位置に設けられているが、第２外側壁２１４ａ２と対面する位置に設けてもよい。また、図５では、フラップ２１６は、第２外側壁２１４ａ２の側端２１４ａ３に設けられているが、第１外側壁２１４ａ１に設けてもよい。また、図５では、板状体２１２、外側壁２１４ａ、及び内側壁２１４ｂは、単一の外包材２３０から形成されているものとしたが、それぞれ別個の外包材２３０とし、接着剤の塗布又はステープラによる係留により互いに接合してもよい。また、外側壁２１４ａ及び内側壁２１４ｂは、相互を直接的に接合しなくてもよく、後述する補強部材２５０を介して間接的に接合するのみとしてもよい。
【００４２】
また、梱包部材２００は、補強部材２５０を備えている。補強部材２５０は、側壁２１４の内部に設けられている。図５（ｂ）では、補強部材２５０の位置が点線により示されている。図５（ｂ）に示すように、補強部材２５０は、例えば、対向する２つのフラップ２１６の間の空間に、フラップ２１６と接触することなく配置することができる。対向する２つのフラップ２１６の間の空間に補強部材２５０を配置することにより、側壁２１４の長手方向の両端から、補強部材２５０が脱離することを防ぐことができる。また、補強部材２５０の厚みを、フラップ２１６の厚みと略同一とすることにより、フラップ２１６により形成される外側壁２１４ａと内側壁２１４ｂとの間隙２１５に、補強部材２５０を配置し、外側壁２１４ａと内側壁２１４ｂとにより挟持することができる。また、図６に示すように、補強部材２５０は、外側壁２１４ａと内側壁２１４ｂとの間隙２１５に配置されている。また、補強部材２５０は、外側壁２１４ａと内側壁２１４ｂとに挟持されている。図６では、補強部材２５０の下部には、外側壁２１４ａの端２１４ｃが設けられており、補強部材２５０を下部から支持している。また、補強部材２５０の上方は、板状体２１２で覆われている。この構成によれば、補強部材２５０を保持するための別部材を設ける必要がないため、梱包部材２００を安価に形成できる。また、この構成によれば、補強部材２５０が、蓋体２１０から搬送中に抜け落ちることがないため、作業者の安全を確保することができる。
【００４３】
なお、補強部材２５０は、例えば、接着剤の塗布により外側壁２１４ａ及び内側壁２１４ｂに直接接合してもよい。補強部材２５０を外側壁２１４ａ及び内側壁２１４ｂに直接接合することにより、蓋体２１０において、外側壁２１４ａと内側壁２１４ｂとの間にフラップ２１６を挟持することを省略できる。また、補強部材２５０を外側壁２１４ａ及び内側壁２１４ｂに直接接合することにより、外側壁２１４ａと内側壁２１４ｂとを直接的に連結する端２１４ｃを設けることを省略でき、外側壁２１４ａと内側壁２１４ｂと別個の梱包用素材として形成できる。
【００４４】
補強部材２５０としては、蓋体２１０よりも吸湿による強度劣化が少ない材質が用いられる。例えば、補強部材２５０としては、ラワン又はヒノキ等の木材が用いられる。木材は、段ボールのような吸湿による強度劣化が少ない材質である。木材としては、例えば、ベニヤ合板等の合板が用いられる。搬送中の空気調和機は、今般の事業のグローバル化に伴う、海外での倉庫保管も考慮した場合、高温多湿の条件下で保管されることも想定される。このような条件下であっても、吸湿による強度劣化が少ない材質を補強部材２５０として梱包部材２００に用いることにより、搬送中の空気調和機の梱包部材２００の強度の劣化を低減することができる。したがって、吸湿による強度劣化が少ない材質を補強部材２５０として梱包部材２００に用いることにより、梱包部材２００の強度不足による破損又は変形の可能性を低減できる。
【００４５】
また、木材は、入手及び加工が容易であるため、梱包部材２００の製造コストの低減を図ることができる。また、木材は、可燃性ゴミとして分別することも容易であるため、地球環境にも優しく、廃棄コストも低減することができる。
【００４６】
梱包部材２００では、上述の補強部材２５０を有することにより、蓋体２１０の外側壁２１４ａの強度が向上するため、外側壁２１４ａの外側から内側への結束バンド４００の侵食に対する耐性を向上させることができる。したがって、上述の補強部材２５０によれば、結束バンド４００の侵食による梱包部材２００の外側壁２１４ａの損傷を低減し、梱包部材２００の外観を維持することが可能な梱包部材２００を提供できる。
【００４７】
上述したとおり、空気調和機、例えば、室外ユニット１００は、室外ユニット１００の搬送時に、作業者が室外ユニット１００を把持する取手部１５０を、高さ方向に延在する４つの辺にそれぞれ有している。しかしながら、空気調和機の物流段階においては、結束バンド４００を把持することにより、搬送作業が行われる場合がある。結束バンド４００が把持された場合、空気調和機の自重により、結束バンド４００の梱包部材２００への侵食が生じるため、梱包部材２００の破損又は変形が発生しうる。
【００４８】
空気調和機の製品本体を保護することを目的とする梱包部材２００は、取引対象によっては、製品と同等に扱われる場合がある。そのような取引対象は、梱包部材２００のしわ及び破損、並びに発泡スチロール等の緩衝材の破損等に敏感であり、梱包部材２００の微小なしわ又は破損であったとしても、空気調和機の製品一式の交換を求める場合がある。梱包部材２００は、空気調和機の据付現場まで搬送された後は廃棄されるものであり、製品一式の交換は、空気調和機の流通における費用対効果が悪化する原因となる。
【００４９】
また、梱包部材２００の破損又は変形により、梱包製品の損傷などが発生する場合もある。また、梱包部材２００の破損により、空気調和機の製品が落下する可能性もあるため、作業者の安全を確保する必要もある。
【００５０】
しかしながら、上述の補強部材２５０によれば、梱包部材２００の外観を維持することが可能な梱包部材２００を提供できるため、空気調和機の製品一式の交換が不要となり、空気調和機の流通における費用対効果の悪化を抑制できる。
【００５１】
また、上述の補強部材２５０によれば、梱包部材２００の外側壁２１４ａの損傷を低減できるため、梱包製品の損傷等を抑制できる。また、梱包部材２００の破損による空気調和機の製品の落下可能性も抑制できるため、作業者の安全を確保することも可能になる。
【００５２】
また、図５では、梱包部材２００の蓋体２１０には、板状体２１２の長手方向に沿って、外側壁２１４ａと内側壁２１４ｂとからなる組を２組、互いに対向するように設けることができる。また、梱包部材２００では、補強部材２５０を、上述の２組のそれぞれの外側壁２１４ａと内側壁２１４ｂとの間隙２１５に配置することができる。
【００５３】
空気調和機の物流段階において、結束バンド４００が把持される場合、空気調和機の搬送時の平衡を保つため、上述の側壁２１４に巻回された結束バンド４００が把持される場合がある。したがって、補強部材２５０を、上述の２つの側壁２１４の外側壁２１４ａと内側壁２１４ｂとの間隙２１５に配置することにより、結束バンド４００の侵食による梱包部材２００の外側壁２１４ａの損傷可能性をより低減できる。また、補強部材２５０を、上述の２つの側壁２１４の外側壁２１４ａと内側壁２１４ｂとの間隙２１５に配置することにより、梱包部材２００の外観をより長期にわたり維持できる。
【００５４】
図７は、図３の梱包部材２００により梱包された空気調和機の一部の概略的な拡大図である。図７では、梱包部材２００は、複数の切欠２１８ａの位置で結束バンド４００によって室外ユニット１００に固定されている。上述したように、蓋体２１０が切欠２１８ａの位置で結束バンド４００によって室外ユニット１００に固定されることにより、蓋体２１０の境界２１８が、結束バンド４００の巻回により侵食されることを回避できる。
【００５５】
図７では、補強部材２５０は、板状体２１２と外側壁２１４ａとの境界２１８の面に接するように形成できる。この構成によれば、外圧により最も変形しやすい境界２１８の強度を向上させることができるため、蓋体２１０の損傷可能性をより低減でき、梱包部材２００の外観の長期にわたる維持が可能となる。
【００５６】
図７で、梱包部材２００が補強部材２５０を有さず、空気調和機の搬送時に結束バンド４００が把持された場合を考える。結束バンド４００が把持し、白ブロック矢印の方向に、空気調和機を引きずった場合、結束バンド４００が巻回された切欠２１８ａから見て、白ブロック矢印の方向と逆方向に位置する境界２１８の領域Ａにしわ又は破損が生じる可能性がある。
【００５７】
しかしながら、図７で示すように、梱包部材２００は、補強部材２５０が切欠２１８ａから露出するように形成できる。この構成によれば、空気調和機の搬送時に結束バンド４００が把持された場合であっても、結束バンド４００の梱包部材２００の内側方向への荷重は、補強部材２５０に印加され、切欠２１８ａの周りの境界２１８には印加されない。したがって、補強部材２５０を切欠２１８ａから露出させることにより、境界２１８の領域Ａにしわ又は破損が生じる可能性を低減できるため、空気調和機の梱包不良を低減することができる。また、結束バンド４００が把持されたとしても、結束バンド４００は補強部材２５０に接触しているため、結束バンド４００の位置が移動することも抑制可能である。
【００５８】
図８は、図３の梱包部材２００により梱包された空気調和機を、搬送作業者７００が、梱包部材２００の角を把持して、矢印の方向に梱包された空気調和機を移動させた状況を示す概略図である。図９は、図８の状況における梱包部材２００を上面から見た概略図である。図８及び図９において、搬送作業者７００によって把持される梱包部材２００の角は領域Ｂにて示されている。
【００５９】
図８で、搬送作業者７００が領域Ｂを把持して、矢印の方向に空気調和機を移動させた場合、梱包部材２００は結束バンド４００で空気調和機に固定されているため、図９の点線Ｃの位置に、空気調和機の自重等による荷重が印加される。
【００６０】
しかしながら、図７で示すように、梱包部材２００は、補強部材２５０が切欠２１８ａから露出するように形成されているため、空気調和機の自重等による荷重の大部分は補強部材２５０に印加される。また、空気調和機の自重等による荷重の大部分が補強部材２５０に印加されたとしても、補強部材２５０は当該荷重により破損されないため、梱包部材２００が破損するには至らない。したがって、搬送作業者７００が梱包部材２００の角を把持して、梱包された空気調和機の搬送を行った場合であっても、梱包部材２００の破損には至らないため、搬送作業者７００の安全性が確保される。
【００６１】
なお、上述の実施の形態では、梱包部材２００では、蓋体２１０は空気調和機の上面側の一部、例えば室外ユニット１００の天面パネル１の側の一部を覆うものとしているが、これに限られない。例えば、底面保護部材３００の外枠体３４０は、梱包部材２００と同一の構造としてもよい。
【００６２】
また、図７における切欠２１８ａから露出した補強部材２５０の部分には、結束バンド４００の掛かりを向上させるための係合溝を設けてもよい。
【００６３】
また、上述の実施の形態では、蓋体２１０の外面側から見て長手方向に延在する２組の側壁２１４に配置された補強部材２５０を例示しているが、これに限られない。例えば、補強部材２５０は、蓋体２１０の外面側から見て短手方向に延在する外側壁２１４ａと内側壁２１４ｂとの間隙２１５に配置されていてもよい。
【００６４】
また、補強部材２５０は、結束バンド４００による荷重等の外力が印加される可能性のある箇所に配置されていればよく、その他の場所には補強部材２５０を配置しなくともよい。
【符号の説明】
【００６５】
１  天面パネル、２  底面パネル、３  前面パネル、３ａ  排気口、３ｂ  グリル、３ｃ  ベルマウス、４  サービスパネル、５  右側面パネル、６  左側面パネル、７  第１カバーパネル、７ａ  開口部、８  第２カバーパネル、９  脚部、９ａ  取付穴、２１  圧縮機、２３  圧力容器、２５  熱交換器、２７  送風機、２９  モータ、１００  室外ユニット、１１０  機械室、１２０  送風機室、１５０  取手部、２００  梱包部材、２１０  蓋体、２１２  板状体、２１２ａ  縁、２１４  側壁、２１４ａ  外側壁、２１４ａ１  第１外側壁、２１４ａ２  第２外側壁、２１４ａ３  側端、２１４ｂ  内側壁、２１４ｃ  端、２１５  間隙、２１６  フラップ、２１８  境界、２１８ａ  切欠、２３０  外包材、２５０  補強部材、３００  底面保護部材、３２０  第２緩衝部材、３２０ａ  載置面、３４０  外枠体、４００  結束バンド、５００  第１緩衝部材、６００  板材、７００  搬送作業者。
【図１】
2020178934.tif 000003
【図２】
2020178934.tif 000004
【図３】
2020178934.tif 000005
【図４】
2020178934.tif 000006
【図５】
2020178934.tif 000007
【図６】
2020178934.tif 000008
【図７】
2020178934.tif 000009
【図８】
2020178934.tif 000010
【図９】
2020178934.tif 000011
【手続補正書】
【提出日】令和3年2月17日(2021.2.17)
【手続補正１】
【補正対象書類名】明細書
【補正対象項目名】０００６
【補正方法】変更
【補正の内容】
【０００６】
本発明の梱包部材は、空気調和機を梱包する梱包部材であって、板状体と、前記板状体の縁から前記板状体に交差する方向に延在する外側壁と、前記外側壁と間隙を開けて延在する内側壁とを有し、前記空気調和機の一部を覆う蓋体と、前記外側壁と前記内側壁との前記間隙に配置され、前記外側壁と前記内側壁とに挟持された補強部材とを備え、前記補強部材は、前記外側壁及び前記内側壁の一端から他端に至る１枚の板である。
【手続補正２】
【補正対象書類名】特許請求の範囲
【補正対象項目名】全文
【補正方法】変更
【補正の内容】
【特許請求の範囲】
【請求項１】
空気調和機を梱包する梱包部材であって、
板状体と、前記板状体の縁から前記板状体に交差する方向に延在する外側壁と、前記外側壁と間隙を開けて延在する内側壁とを有し、前記空気調和機の一部を覆う蓋体と、
前記外側壁と前記内側壁との前記間隙に配置され、前記外側壁と前記内側壁とに挟持された補強部材と
を備え、
前記補強部材は、前記外側壁及び前記内側壁の一端から他端に至る１枚の板である
梱包部材。
【請求項２】
前記外側壁の外面の全体は、前記板状体を正面視した状態において、前記板状体の縁と同一位置又は前記板状体の周縁の内側にある
請求項１に記載の梱包部材。
【請求項３】
前記蓋体には、前記板状体の長手方向に沿って、前記外側壁と前記内側壁とからなる組が２組、互いに対向して設けられており、
前記補強部材は、前記２組それぞれの前記外側壁と前記内側壁との前記間隙に配置されている
請求項１又は２に記載の梱包部材。
【請求項４】
前記補強部材は、前記板状体と前記外側壁の境界の内面に接している
請求項１〜３のいずれか一項に記載の梱包部材。
【請求項５】
前記蓋体は、前記板状体と前記外側壁の境界に切欠を有しており、
前記補強部材は、前記切欠から露出している
請求項１〜４のいずれか一項に記載の梱包部材。
【請求項６】
前記補強部材は、前記蓋体よりも吸湿による強度劣化が少ない材質である
請求項１〜５のいずれか一項に記載の梱包部材。
【請求項７】
前記補強部材は木材である
請求項１〜６のいずれか一項に記載の梱包部材。
【請求項８】
前記板状体は前記空気調和機の上面を覆うように構成されており、
前記外側壁及び前記内側壁は、前記空気調和機の側面の一部を覆うように構成されている
請求項１〜７のいずれか一項に記載の梱包部材。
【請求項９】
前記板状体、前記外側壁、及び前記内側壁は、単一の外包材から形成され、
前記外側壁は、前記板状体の縁から前記板状体に交差する方向に前記外包材が折り曲げられて形成され、
前記内側壁は、前記板状体の縁と逆側の前記外側壁の端から前記板状体の方向に前記外包材を折り返されて形成されている
請求項１〜８のいずれか一項に記載の梱包部材。
【国際調査報告】
2020178934.tif 000012
2020178934.tif 000013
2020178934.tif 000014
2020178934.tif 000015